(57)【要約】【課題】床下換気扇の取り付け工事の為に建物の中に入ることなく、又基礎の床下換気口鳥獣侵入防止用格子金具を切断取り外すことなく、取り付けが簡単で安価そして安全な床下換気扇を提供することを目的とする。【解決手段】換気ファン３と安全装置４やタイムスイッチ５等を一つの箱に取り付けた床下換気扇にすることにより、床下換気口の鳥獣侵入防止格子金具１０に取り付け金具６にて固定することで、又は建物基礎に取り付け穴１３をあけることにより工事は全て建物の外部から行え、取り付け及びメンテナンスが簡単、そして低価格で安全な自動床下換気扇を提供できる。【選択図】  図２
2004317100.tif 000002
【特許請求の範囲】
【請求項１】
換気ファンを安全装置やタイムスイッチ等と一つの箱に取り付けたことを特徴とするメンテナンス性の良い床下換気扇。
【請求項２】
この床下換気扇は、床下換気口の鳥獣侵入防止用格子金具を切断取り外す事なく、又全て工事は建物の外部から取り付けることが出来、メンテナンス性の良いことを特徴とする取り付け工法。
【発明の詳細な説明】
【０００１】
【発明の属する技術分野】この発明は、床下換気扇の構造と取り付け工法のことに関する。
【０００２】
【従来の技術】従来の床下換気扇は、図１０のように固定用板、固定枠に換気ファンを取り付けたものである。
【０００３】
【発明が解決しようとする課題】しかしながら、以上の従来技術によれば、取り付け様とした時ファン部分が長い為、床下換気口の鳥獣侵入防止用格子金具を切断取り外さなければ取り付けることが出来なかったり、又完全床下内部に取り付けタイプのため、取付工事は専門業者により長時間、且つ家の中に入り床下へ潜り込まなければ取り付けができなかった。安全対策もなく、タイムスイッチも別売別付けで費用及び取り付工事時間が更にアップとなっている。
そこで、この発明は、床下換気口の鳥獣侵入防止用格子金具を切断取り外すのではなく、床下換気口の鳥獣侵入防止用格子金具の格子穴に床下換気扇固定の為のベース部側より固定用金具を引っ掛け、ドライバーなどにて締め付けて取り付け、そのベース部へ換気ファン等が取り付いたユニット部を固定する工法を特徴とし取り付け工事も全て家の外から簡単で短時間に取り付けが出来、安全なものを提供しメンテナンス性の良いことを課題とする。
【０００４】
【課題を解決するための手段】以上の課題を解決するために、請求項１の発明は、換気ファンを安全装置やタイムスイッチ等と一つの箱に取り付け安全と安価そして工事の簡素化を実現し、メンテナンス性の良いことを特徴とする床下換気扇である。又床下換気扇は一つの箱に換気ファンと安全装置やタイムスイッチ等の付いた親機と、換気ファンのみが付いた子機を提供する。
請求項２の発明は、床下換気扇の取り付け工法で床下換気口の鳥獣侵入防止用格子金具の格子穴に床下換気扇固定の為のベース側より固定用金具を引っ掛け、ドライバーなどにて締め付けて取り付け、そのベース部へ換気ファン等が取り付いたユニット部を簡単に取り付けることができ、床下換気口の鳥獣侵入防止用格子金具を切断する事なく、全て工事は建物の外部から取り付けることが出来ることを特徴とする取り付け工法である。
又床下換気口の鳥獣侵入防止用格子金具に固定金具にて取り付けることができない場合は、布基礎にドリルにて取り付け穴を明けることで取り付けができる様にしたことを特徴とする床下換気扇である。
【０００５】
【発明の実施の形態】この発明の実施形態を、図２、図３に示す。
図２は床下換気扇の床下換気口鳥獣進入防止格子金具１０への取り付け工法及び姿図であり親機を示す。床下換気扇固定の為のベース部１を固定金具６で床下換気口鳥獣進入防止格子金具１０に引っ掛け固定する。ベース部１に取り付けるユニット部２に換気ファン３と、安全装置４、タイムスイッチ５を内蔵する。子機には換気ファン３のみを内臓する。床下換気扇固定の為のベース部１を固定した後、換気ファン等が取り付いたユニット部２を表よりベース部１に捩子１１にて取り付け固定する。
電源は、キャプタイヤケーブル７及びケーブルに取り付けたコンセントキャップ８にて供給する。床下換気扇親機への電源供給は、建物の外部コンセントへ親機のコンセントキャップを差し込む。１台目床下換気扇子機への電源供給は、床下換気扇親機ボックスの下部に取り付けられたコンセントに、１台目子機のコンセントキャップを差し込む。２台目床下換気扇子機への電源供給は、１台目床下換気扇子機ボックスの下部に取り付けられたコンセントに２台目子機のコンセントキャップを差し込む。３台目床下換気扇子機以降についても同方法とする。図３は床下換気扇の基礎への取り付け工法及び姿図であり親機を示す。床下換気扇固定の為のベース部１をドリルにて明けた基礎の穴１３に、埋め込んだ木片、ＰＹプラグ、ＡＹプラグ等へ取り付け用捩子１２にて固定する。床下換気扇固定の為のベース部１を基礎に固定した後、換気ファン３等が取り付いたユニット部２をベース部１に捩子１１にて取り付け固定する。
【０００６】
【実施形態の効果】この実施形態によれば、本床下換気扇にすることにより業者による工事も必要ない為、従来のものに比べ全体の価格が安くなり、全て建物外部からの取り付けの為メンテナンス性も良い。又安全装置内蔵の為、漏電やショート等の異常にも対応しており安全なものが提供できる。
【０００７】
【他の実施形態】この床下換気扇は床下換気扇固定の為のベース部１と、換気ファン３等が取り付いたユニット部２とに分割したが、一つの箱の中に内蔵する換気ファン３等のものは同じとし、分割しない一体型を用意し製作点数を減らすことにより更に安価なものを提供してもよい。
【０００８】
【発明の効果】以上説明したように、この発明によれば本床下換気扇にすることにより取り付け工事で床下換気口鳥獣進入防止格子金具を切断取り外すことなく、業者工事が不要又は業者にて工事を実施した場合も短時間でできる為、従来のものに比べ全体の価格が安くなる。又安全なものが提供できる。
【０００９】なにより、取り付け工事が全て外部工事にて実施できる為、仮に業者に取り付け工事を依頼した場合でも工事時間帯に施工主が在宅する必要がなくなる。
【図面の簡単な説明】
【図１】この発明の床下換気扇親機の実施形態を示す斜視図である。
【図２】この発明の床下換気扇親機換気ファン３等が取り付いたユニット部２と床下換気扇固定の為のベース部１、及びベース部１の鳥獣侵入格子金具１０への固定金具６での、取り付け工法の実施形態を示す斜視図である。同型子機も本取り付け工法による。
【図３】この発明の床下換気扇親機の布基礎への捩子での取り付け工法の実施形態を示す斜視図である。同型子機も本取り付け工法による。
【図４】この発明の床下換気扇親機下部の実施形態を示す斜視図である。
【図５】この発明の床下換気扇子機の実施形態を示す斜視図である。
【図６】この発明の床下換気扇子機下部の実施形態を示す斜視図である。
【図７】この発明の一体型床下換気扇親機の実施形態を示す斜視図である。
【図８】この発明の一体型床下換気扇親機の布基礎への取り付け工法の実施形態を示す斜視図である。同型子機も本取り付け工法による。
【図９】この発明の一体型床下換気扇子機の実施形態を示す斜視図である。
【図１０】従来技術を示す斜視図である
【符号の説明】
１＝床下換気扇ベース部
２＝床下換気扇ユニット部
３＝換気ファン
４＝安全装置
５＝タイムスイッチ
６＝鳥獣進入防止格子金具へ取り付ける為の、床下換気扇ベース部の固定金具
７＝キャプタイヤケーブル配線のケーブル
８＝受電用コンセントキャップ
９＝下位床下換気扇への電源送り用コンセント
１０＝床下換気口鳥獣侵入防止格子金具
１１＝床下換気扇ベース部へ、ユニット部を取り付ける為の捩子
１２＝床下換気扇ベース部を取り付ける為の捩子
１３＝床下換気扇の布基礎取り付け穴（ＡＹプラグ等埋め込む）
１４＝床下換気扇子機ユニット部
１５＝一体型床下換気扇親機本体
１６＝一体型床下換気扇子機本体
【図１】
2004317100.tif 000003
【図２】
2004317100.tif 000004
【図３】
2004317100.tif 000005
【図４】
2004317100.tif 000006
【図５】
2004317100.tif 000007
【図６】
2004317100.tif 000008
【図７】
2004317100.tif 000009
【図８】
2004317100.tif 000010
【図９】
2004317100.tif 000011
【図１０】
2004317100.tif 000012